(57)【要約】【課題】固有の識別情報が予め書き換え不能に記録された取引媒体を取り扱う自動取引システムを容易に構築する。【解決手段】自動取引装置２１０は、カード２０や通帳３０が備えるＩＣチップから識別番号を入力すると、その識別番号に対応する磁気ストライプデータを変換サーバ３２０に要求する。自動取引装置２１０は、こうして変換サーバ３２０から取得した磁気ストライプデータを用いてホストコンピュータ３１０にアクセスして取引処理を実行する。磁気ストライプデータは、従来の磁気カード等に記録されているデータと同様の形式のデータであるため、自動取引装置２１０やホストコンピュータ３１０の改変を最低限に抑制しつつ、ＩＣチップを備えた取引媒体を取り扱い可能なシステムを容易に構築することが可能となる。【選択図】  図１
2005018190.tif 000002
【特許請求の範囲】
【請求項１】
ホストコンピュータと通信し、該ホストコンピュータに所定の取引処理を実行させる自動取引装置であって、
固有の識別情報が書き換え不能に記録されたＩＣチップを備える取引媒体から前記識別情報を読み出す読出部と、
前記ホストコンピュータが前記取引処理のために用いる顧客データと前記識別情報とを対応付けて記憶する取引仲介装置から、前記ホストコンピュータとの通信に先立って、前記読み出した識別情報に対応する顧客データを取得する取得部と、
前記取得した顧客データを前記ホストコンピュータに送信し、該顧客データを用いて前記ホストコンピュータに前記取引処理を実行させる取引処理部と、
を備える自動取引装置。
【請求項２】
自動取引装置とホストコンピュータとに接続され、両者間における取引処理を成立させる取引仲介装置であって、
前記自動取引装置の利用の際に用いられる取引媒体に設けられたＩＣチップに書き換え不能に記録された固有の識別情報と、前記ホストコンピュータが前記取引処理のために用いる顧客データと、を対応付けて記憶する記憶部と、
前記ホストコンピュータまたは前記自動取引装置からのアクセスに応じて前記識別情報と前記顧客データとの変換を行うことにより、前記ホストコンピュータと前記自動取引装置間における前記取引処理を成立させる取引制御部と、
を備える取引仲介装置。
【請求項３】
請求項２に記載の取引仲介装置であって、
前記取引制御部は、前記自動取引装置から受信した前記識別情報を該識別情報に対応する前記顧客データに変換して前記自動取引装置に返信することにより、前記取引処理を成立させる、取引仲介装置。
【請求項４】
請求項２に記載の取引仲介装置であって、
前記取引制御部は、前記自動取引装置から取引内容を表す取引データと前記識別情報とを受信し、該識別情報に対応する前記顧客データに変換して、前記取引データとともに該変換した顧客データを前記ホストコンピュータに送信することにより、前記取引処理を成立させる、自動取引システム。
【請求項５】
自動取引装置とホストコンピュータと取引仲介装置とが接続された自動取引システムにおける自動取引方法であって、
前記取引仲介装置は、前記自動取引装置の利用の際に用いられる取引媒体に設けられたＩＣチップに書き換え不能に記録された固有の識別情報と、前記ホストコンピュータが取引処理のために用いる顧客データとを対応付けて記憶する記憶部を備えており、
前記自動取引装置が、前記取引媒体から前記識別情報を読み出す工程と、
前記取引仲介装置が、前記自動取引装置から前記識別情報を受信し、該識別情報に対応する前記顧客データを前記記憶部から検索し、該検索した顧客データを前記自動取引装置および前記ホストコンピュータの少なくとも一方に送信する工程と、
前記ホストコンピュータが前記自動取引装置および前記取引仲介装置の少なくとも一方から前記顧客データを受信し、該顧客データを用いて取引処理を実行する工程と、
を含む自動取引方法。
【発明の詳細な説明】
【０００１】
【発明の属する技術分野】
本発明は、固有の識別情報が書き換え不能に記録されたＩＣチップを備える取引媒体を用いた自動取引に関する。
【０００２】
【従来の技術】
従来、金融機関等に設置された自動取引装置では、取引媒体として磁気ストライプの貼付されたキャッシュカードや通帳が用いられていた。磁気ストライプには、口座番号や残高等の顧客データが記録されており、自動取引装置は、かかる顧客データを用いてホストコンピュータと通信を行うことにより取引処理を行っていた。
【０００３】
しかし、磁気ストライプは、取引媒体の表面に露出して貼付されているため、傷や汚れに弱く、また、取引媒体のデザイン性が損なわれるという問題があった。そこで、近年では、下記特許文献に記載のように、磁気ストライプに換えてＩＣチップを取引媒体に設けることが提案されている。
【０００４】
取引媒体に設けるＩＣチップは、媒体が折れ曲がる可能性があることやデザイン領域の確保という観点から、より小型であることが好ましい。そこで、本願出願人が開発したミューチップ（登録商標）と呼ばれる超小型の非接触型ＩＣチップを採用することが好適である。ミューチップは、２．４５ＧＨｚの高周波アナログ回路と１２８ビットのＲＯＭを備える０．４ミリ角の超小型ＩＣチップであり、紙に埋め込んで利用することが可能である。ＲＯＭには、固有の識別番号が製造段階で予め記録されている。
【０００５】
【特許文献１】
特開２００１−２８７４７７号公報
【特許文献２】
特開２００１−２６６２２１号公報
【０００６】
【発明が解決しようとする課題】
ミューチップは、その小型化を実現するために、上述のように書き換え不能のＲＯＭを採用している。そのため、従来の磁気ストライプに記録していた口座番号や残高などの情報を後から書き込むことは不可能である。つまり、従来の磁気ストライプを用いた自動取引システムにおいてかかるミューチップを採用した取引媒体を取り扱うためには、そのシステムの改変が避けられず、その改変に多大な労力を要する場合があった。このような課題は、ミューチップに限らず、書き換え不能なＲＯＭを備えるＩＣチップを採用した取引媒体を取り扱う自動取引システムの構築に共通な課題であった。
【０００７】
本発明は、かかる課題に鑑みてなされたものであり、固有の識別情報が予め書き換え不能に記録された取引媒体を取り扱う自動取引システムを容易に構築することを目的としている。
【０００８】
【課題を解決するための手段】
上記課題を解決するため、本発明の自動取引装置を次のように構成するものとした。すなわち、ホストコンピュータと通信し、該ホストコンピュータに所定の取引処理を実行させる自動取引装置であって、固有の識別情報が書き換え不能に記録されたＩＣチップを備える取引媒体から前記識別情報を読み出す読出部と、前記ホストコンピュータが前記取引処理のために用いる顧客データと前記識別情報とを対応付けて記憶する取引仲介装置から前記ホストコンピュータとの通信に先立って前記読み出した識別情報に対応する顧客データを取得する取得部と、前記取得した顧客データを前記ホストコンピュータに送信し、該顧客データを用いて前記ホストコンピュータに前記取引処理を実行させる取引処理部とを備えることを要旨とする。
【０００９】
上記顧客データとしては、例えば、口座番号や金融機関コード、科目コード、支店番号、残高など、従来の磁気ストライプ付き取引媒体に記録されていたデータを用いることができる。従って、本発明の自動取引装置によれば、従来から用いられてきた顧客データを用いてホストコンピュータに取引処理を実行させることができるため、ホストコンピュータの改変が不要となり、固有の識別情報が書き換え不能に記録された取引媒体を取り扱い可能な自動取引システムを容易に構築することができる。なお、取引媒体とは、例えば、通帳やキャッシュカードなど、顧客が取引時に用いる媒体をいう。
【００１０】
また、本発明は、次のような取引仲介装置としても構成することができる。すなわち、自動取引装置とホストコンピュータとに接続され両者間における取引処理を成立させる取引仲介装置であって、前記自動取引装置の利用の際に用いられる取引媒体に設けられたＩＣチップに書き換え不能に記録された固有の識別情報と前記ホストコンピュータが前記取引処理のために用いる顧客データとを対応付けて記憶する記憶部と、前記ホストコンピュータまたは前記自動取引装置からのアクセスに応じて前記識別情報と前記顧客データとの変換を行うことにより前記ホストコンピュータと前記自動取引装置間における前記取引処理を成立させる取引制御部とを備えることを要旨とする。
【００１１】
本発明の取引仲介装置によれば、自動取引装置が取引媒体から読み取った識別番号を顧客データに変換することができる。従って、ホストコンピュータは従来より用いられてきた顧客データに基づき取引処理を実行することができるため、ホストコンピュータの改変が不要となり、固有の識別情報が書き換え不能に記録された取引媒体を取り扱い可能な自動取引システムを容易に構築することができる。
【００１２】
上記構成の取引仲介装置において、前記取引制御部は、前記自動取引装置から受信した前記識別情報を該識別情報に対応する前記顧客データに変換して前記自動取引装置に返信することにより前記取引処理を成立させるものとしてもよい。
【００１３】
このような構成であれば、自動取引装置は、取引媒体から読み出した識別情報に対応する顧客データを取引仲介装置から取得することができるため、自動取引装置とホストコンピュータとは、従来通りの顧客データに基づく取引処理を実行することが可能となる。
【００１４】
また、上記構成の自動取引システムにおいて、前記取引制御部は、前記自動取引装置から取引内容を表す取引データと前記識別情報とを受信し、該識別情報に対応する前記顧客データに変換して、前記取引データとともに該変換した顧客データを前記ホストコンピュータに送信することにより、前記取引処理を成立させるものとしてもよい。取引データとは、例えば、取引の種別を指定するデータや取引金額、振込先口座番号などのデータである。
【００１５】
このような構成によっても、ホストコンピュータは従来通りの顧客データに基づく取引処理を実行することが可能となる。また、このような構成によれば、自動取引装置に代わり実質的に変換サーバがホストコンピュータに取引処理を実行させることになる。従って、ホストコンピュータと取引仲介装置とが直接的に接続され、公衆通信回線等を介して自動取引装置とホストコンピュータとが接続されているような場合には、このような回線上に流れる顧客データを低減させることができるため、データの漏洩を抑制することが可能となる。
【００１６】
また、本発明は、次のような自動取引方法としても構成することができる。すなわち、自動取引装置とホストコンピュータと取引仲介装置とが接続された自動取引システムにおける自動取引方法であって、前記取引仲介装置は、前記自動取引装置の利用の際に用いられる取引媒体に設けられたＩＣチップに書き換え不能に記録された固有の識別情報と前記ホストコンピュータが取引処理のために用いる顧客データとを対応付けて記憶する記憶部を備えており、前記自動取引装置が、前記取引媒体から前記識別情報を読み出す工程と、前記取引仲介装置が、前記自動取引装置から前記識別情報を受信し、該識別情報に対応する前記顧客データを前記記憶部から検索し、該検索した顧客データを前記自動取引装置および前記ホストコンピュータの少なくとも一方に送信する工程と、前記ホストコンピュータが前記自動取引装置および前記取引仲介装置の少なくとも一方から前記顧客データを受信し、該顧客データを用いて取引処理を実行する工程とを含む自動取引方法である。
【００１７】
かかる自動取引方法によっても、ホストコンピュータの改変を要することなく、固有の識別情報が書き換え不能に記録された取引媒体を用いた自動取引を容易に行うことが可能となる。
【００１８】
本発明において上述した種々の態様は、適宜、組み合わせたり、一部を省略して適用することができる。また、本発明は、上述した自動取引装置や取引仲介装置、自動取引方法しての構成のほか、例えば、自動取引装置や取引仲介装置の制御方法、自動取引装置や取引仲介装置を制御するためのプログラム、かかるプログラムを記録したコンピュータ読取可能な記録媒体などとしても構成することができる。いずれの構成においても、上述した各態様を適宜、適用可能である。コンピュータが読み取り可能な記録媒体としては、例えば、フレキシブルディスクやＣＤ−ＲＯＭ、ＤＶＤ−ＲＯＭ、光磁気ディスク、メモリカード、ハードディスク等の種々の媒体を利用することができる。
【００１９】
【発明の実施の形態】
以下、本発明の実施の形態について実施例に基づき次の順序で説明する。
Ａ．自動取引システムの概略構成：
Ｂ．自動取引装置の概略構成：
Ｃ．変換サーバの概略構成：
Ｄ．取引媒体の発行処理：
Ｅ．取引処理：
Ｆ．変形例：
【００２０】
Ａ．自動取引システムの概略構成：
図１は、実施例としての自動取引システム１００の概略構成を示す説明図である。本実施例の自動取引システム１００は、営業店システム２００とセンタシステム３００とがＩＳＤＮ回線等の所定の通信回線１０を介して接続されることにより構成されている。
【００２１】
営業店システム２００は、自動取引装置２１０と通帳発行装置２３０とが所定のネットワークによって接続されることにより構成されている。自動取引装置２１０は、いわゆるＡＴＭ（Ａｕｔｏｍａｔｉｃ  Ｔｅｌｌｅｒ  Ｍａｃｈｉｎｅ）であり、カード２０や通帳３０を用いることにより、現金の引き出しや預け入れ、振込み等の自動取引が可能な装置である。本実施例では、カード２０や通帳３０には、一般的によく用いられている磁気ストライプではなく、ミューチップと呼ばれる非接触型ＩＣチップが設けられているものとした。ミューチップは、２．４５ＧＨｚの高周波アナログ回路と１２８ビットのＲＯＭを備える０．４ミリ角の超小型ＩＣチップであり、ＲＯＭには、３８桁の識別番号が予め製造段階で記録されている。この識別番号は、顧客の口座番号等とは無関係に予め割り当てられた番号であるため、本実施例では、以下で説明する変換サーバ３２０によって、識別番号と口座番号等の情報の変換を行うことによって取引処理を行うものとした。
【００２２】
通帳発行装置２３０は、通帳３０の新規発行や繰越しを行うための装置である。新規発行時には、通帳３０が備えるミューチップに記録された識別番号とホストコンピュータから受信した新規の磁気ストライプデータとを対応付けて後述する変換サーバ３２０に登録する。磁気ストライプデータとは、通帳３０やカード２０が磁気ストライプを備える場合に当該磁気ストライプに記録されるべき顧客データであり、例えば、口座番号や支店番号、科目コード等の情報を記録したデータである。
【００２３】
センタシステム３００は、ホストコンピュータ３１０や変換サーバ３２０、カード発行装置３３０等が所定のネットワークによって接続されることにより構成されている。ホストコンピュータ３１０は、顧客の口座情報等の詳細な顧客データを記録した口座ファイルを備えており、通信回線１０を介して接続された自動取引装置２１０からの指示に応じて、かかる口座ファイルに基づき種々の取引処理を行う。
【００２４】
変換サーバ３２０は、識別番号データベースＤＢを備えており、この識別番号データベースＤＢには、カード２０や通帳３０が備えるミューチップに記録された識別番号と磁気ストライプデータとが対応付けて記録されている。変換サーバ３２０は、自動取引装置２１０から識別番号を受信すると、その識別番号に対応した磁気ストライプデータを検索する機能を有している。この変換サーバ３２０は、本発明における取引仲介装置に相当する。
【００２５】
カード発行装置３３０は、オペレータの操作に応じてカード２０の新規発行を行う装置である。発行時には、カード２０が備えるミューチップに記録された識別番号とホストコンピュータから受信した新規の磁気ストライプデータとを対応付けて変換サーバ３２０に登録する。
【００２６】
Ｂ．自動取引装置の概略構成：
図２は、自動取引装置２１０の概略構成を示す説明図である。図示するように、自動取引装置２１０は、通帳取扱機構２１１、カード読出機構２１２、表示部２１３、タッチパネル２１４、入出金機構２１５、通信処理部２１６、制御ユニット２１７を備えている。
【００２７】
通帳取扱機構２１１は、通帳３０をローディングし、通帳３０が備えるミューチップから所定の無線手段により識別番号を読み取る機能を有している。また、通帳３０が磁気ストライプを備えている場合には、かかる磁気ストライプから磁気ストライプデータを読み取る機能も有している。また、取引終了時には、取引結果の印字等も行う。
【００２８】
カード読出機構２１２は、カード２０が備えるミューチップから所定の無線手段により識別番号を読み取る機能を有している。また、カード２０が磁気ストライプを備えている場合には、かかる磁気ストライプから、磁気ストライプデータを読み取る機能も有している。
【００２９】
表示部２１３は、取引処理のために顧客に提示するメニュー等の表示を行う装置である。表示部２１３には、タッチパネル２１４が設けられており、顧客は、このタッチパネル２１４を操作することにより、取引内容の選択や取引金額等の入力を行う。
【００３０】
入出金機構２１５は、取引内容に応じて紙幣や硬貨の入出金を行うための機構である。通信処理部２１６は、制御ユニット２１７からの指示により、ホストコンピュータ３１０や変換サーバ３２０との通信を行う。
【００３１】
制御ユニット２１７は、ＣＰＵやＲＯＭ、ＲＡＭ等を備えるコンピュータとして構成されている。ＲＯＭには、自動取引装置２１０の制御を行うための制御プログラムが記録されており、ＣＰＵは、ＲＡＭをワークエリアとして用いることによりかかるプログラムを実行する。図示する識別番号読出部２１８や磁気ストライプデータ取得部２１９、取引処理部２２０は、この制御プログラムによりソフトウェア的に実現される機能部である。
【００３２】
識別番号入力部２１８は、通帳取扱機構２１１やカード読出機構２１２を制御することにより、通帳３０やカード２０に設けられたミューチップから識別番号を入力する。磁気ストライプデータ取得部２１９は、入力した識別番号に対応する磁気ストライプデータを変換サーバ３２０から取得する。取引処理部２２０は、磁気ストライプデータ取得部２１９によって取得した磁気ストライプデータを用いて、ホストコンピュータ３１０に取引処理を実行させる。
【００３３】
Ｃ．変換サーバの概略構成：
図３は、変換サーバ３２０の概略構成を示す説明図である。変換サーバ３２０は、通信処理部３２２や制御ユニット３２３、識別番号データベースＤＢが記録された記憶部３２１等を備えている。
【００３４】
制御ユニット３２３は、ＣＰＵ、ＲＯＭ、ＲＡＭ等を備えるコンピュータとして構成されている。ＲＯＭには、変換サーバ３２０を制御するための制御プログラムが記録されており、ＣＰＵは、ＲＡＭをワークエリアとして用いることにより、かかるプログラムを実行する。図示する識別番号受信部３２４や検索部３２５、磁気ストライプデータ送信部３２６、登録部３２７は、この制御プログラムによりソフトウェア的に実現される機能部である。
【００３５】
識別番号受信部３２４は、通信処理部３２２を介して自動取引装置２１０から識別番号を受信する。検索部３２５は、受信した識別番号に対応付けられた磁気ストライプデータを識別番号データベースＤＢから検索する。磁気ストライプデータ送信部３２６は、検索された磁気ストライプデータを自動取引装置２１０に返信する。変換サーバ３２０は、これらの機能部の働きにより、自動取引装置２１０とホストコンピュータ３１０間における取引処理を成立させることができる。登録部３２７は、通帳発行装置２３０やカード発行装置３３０から識別番号や磁気ストライプデータを受信すると、これらのデータを識別番号データベースＤＢに登録する。
【００３６】
図４は、識別番号データベースＤＢのデータ構造を示す説明図である。図示するように、識別番号データベースＤＢは、通帳データベースとカードデータベースによって構成される。通帳データベースには、通帳３０の識別番号と通帳磁気ストライプデータ（以下、「ＭＳデータ」と記載する。）とが対応付けて記録されている。ＭＳデータは、通帳３０が磁気ストライプを備えている場合に当該磁気ストライプに記録されるべき顧客データである。ＭＳデータには、口座番号や支店番号、科目コード、残高、通帳印字ページ、通帳印字済行などの情報が含まれている。通帳印字ページや通帳印字済行は、取引結果を通帳記入する際に用いられるパラメータである。
【００３７】
一方、カードデータベースには、カード２０の識別番号とカード磁気ストライプデータ（以下、「ＭＣデータ」と記載する。）とが対応付けて記録されている。ＭＣデータは、カード２０が磁気ストライプを備えている場合に当該磁気ストライプに記録されるべき顧客データである。ＭＣデータには、口座番号、カードＩＤ、金融機関コード、支店番号、科目コード、有効性コードなどが含まれる。カードＩＤとは、キャッシュカードやクレジットカードなどのカードの種別を表す符号であり、有効性コードとは、そのカードが有効であるか無効であるかを判別するためのコードである。
【００３８】
Ｄ．取引媒体の発行処理：
図５は、新規のカード２０を発行する発行処理のフローチャートである。まず、オペレータが新規のカード２０をセンタシステム３００に設置されたカード発行装置３３０にセットすると、カード発行装置３３０は、新規のカード２０から識別番号を読み出す（ステップＳ１０）。すると、カード発行装置３３０は、ホストコンピュータ３１０に対して、新規のＭＣデータを要求し（ステップＳ２０）、ホストコンピュータ３１０は、かかる要求に応じて、口座番号等の情報をＭＣデータとしてカード発行装置３３０に送信する（ステップＳ３０）。カード発行装置３３０は、こうして返信されたＭＣデータと、ステップＳ１０で読み出した識別番号とを対応付けて、変換サーバ３２０のカードデータベースに登録する（ステップＳ４０）。最後に、オペレータは、顧客に対して新規のカード２０を郵送等の手段により発送することにより発行処理は終了する。
【００３９】
上記発行処理は、新規のカード２０を発行する場合について示したが、新規の通帳３０を発行する場合も、営業店システム２００に設置された通帳発行装置２３０を用いて同様に行うことができる。また、上記発行処理では、新規のＭＣデータをホストコンピュータから入力するものとしたが、オペレータがキーボード等を用いて直接カード発行装置３３０や通帳発行装置２３０に入力するものとしてもよい。
【００４０】
Ｅ．取引処理：
図６および図７は、自動取引システム１００における自動取引処理のフローチャートである。まず、自動取引装置２１０は、カード２０が挿入されたかどうかを検出する（ステップＳ２００）。挿入されない場合（ステップＳ２００：Ｎｏ）は、挿入されるまで待機する。挿入された場合には、所定の無線手段によってカード２０に設けられたミューチップから識別番号を読み出す（ステップＳ２０１）。
【００４１】
次に、自動取引装置２１０は、識別番号の読み出しに成功したか否かを判定する（ステップＳ２０２）。成功した場合（ステップＳ２０２：Ｙｅｓ）には、変換サーバに識別番号を送信することにより、ＭＣデータを要求する（ステップＳ２０３）。変換サーバは、かかる要求を受信すると、送信された識別番号に対応するＭＣデータを識別番号データベースＤＢから検索する（ステップＳ２０４）。そして、検索されたＭＣデータを自動取引装置２１０に返信し（ステップＳ２０５）、自動取引装置２１０はこれを受信する（ステップＳ２０６）。上記ステップＳ２０２において、識別番号の読出しに失敗した場合（ステップＳ２０２：Ｎｏ）には、挿入されたカード２０は、磁気ストライプ付のカードであるものとして、カードから直接、ＭＣデータを読み取る（ステップＳ２０７）。以上の処理により、自動取引装置２１０は、挿入されたカード２０に対応するＭＣデータを取得することができる。
【００４２】
次に、自動取引装置２１０は、通帳３０が挿入されたか否かを判定する（ステップＳ２０８）。通帳３０が挿入された場合（ステップＳ２０８：Ｙｅｓ）には、通帳３０に設けられたミューチップから識別番号の読出しを行う（ステップＳ２０９）。挿入されない場合（ステップＳ２０８：Ｎｏ）には、カード２０のみにより取引を行うものとして、後述するステップＳ２１６に処理を移行する。
【００４３】
次に、自動取引装置２１０は、識別番号の読出しに成功したか否かを判定する（ステップＳ２１０）。成功した場合（ステップＳ２１０：Ｙｅｓ）には、自動取引装置２１０は、読み出した識別番号を変換サーバ３２０に送信することにより、ＭＳデータの要求を行う（ステップＳ２１１）。変換サーバ３２０は、かかる要求を受信すると、送信された識別番号に対応するＭＳデータを識別番号データベースＤＢから検索する（ステップＳ２１２）。そして、検索されたＭＳデータを自動取引装置２１０に返信し（ステップＳ２１３）、自動取引装置２１０はこれを受信する（ステップＳ２１４）。上記ステップＳ２１０において識別番号の読出しに失敗した場合（ステップＳ２１０：Ｎｏ）には、挿入された通帳３０は、磁気ストライプ付きの通帳であるものとして、通帳から直接、ＭＳデータを読み込む（ステップＳ２１５）。以上の処理により、自動取引装置２１０は、挿入された通帳３０に対応するＭＳデータを取得することができる。
【００４４】
次に、自動取引装置２１０は、表示部２１３に所定の取引メニューを表示することにより、取引内容を顧客に選択させる（図７：ステップＳ２１６）。そして、引き出し金額や預け入れ金額、振込先口座番号などの取引データをタッチパネル２１４により顧客から入力する（ステップＳ２１７）。そして、自動取引装置２１０は、かかる取引内容や取引データを、ＭＳデータまたはＭＣデータに記録された口座番号情報とともにホストコンピュータ３１０に送信する（ステップＳ２１８）。
【００４５】
ホストコンピュータ３１０は、こうして自動取引装置２１０から口座番号情報と取引内容、取引データを受信すると、これらの情報に基づきステップＳ２１６で選択された取引処理を行う（ステップＳ２１９）。そして、取引結果に応じて口座ファイルを更新し（ステップＳ２２０）、その取引結果を自動取引装置２１０に返信する（ステップＳ２２１）。
【００４６】
自動取引装置２１０は、ホストコンピュータ３１０から取引結果を受信する（ステップＳ２２２）と、その取引結果に応じて、出金処理や通帳記入、伝票の印字等を行う（ステップＳ２２３）。そして、必要に応じてＭＣデータやＭＳデータの残高情報等を更新し（ステップＳ２２４）、更新したこれらのデータを変換サーバ３２０に送信する（ステップＳ２２５）。最後に、変換サーバ３２０は、送信されたＭＣデータやＭＳデータによって、識別番号データベースＤＢを更新して（ステップＳ２２６）、自動取引処理は終了する。
【００４７】
以上で説明した実施例によれば、ホストコンピュータは、従来より用いられている磁気ストライプデータによって取引処理を行うことができる。従って、ホストコンピュータの改変を要することなく、固有の識別番号が書き換え不能に記録された取引媒体を取り扱う自動取引システムを容易に構築することが可能となる。
【００４８】
以上、本発明の実施例について説明したが、本発明はこれらの実施例に限定されず、その趣旨を逸脱しない範囲で種々の構成を採ることができることはいうまでもない。例えば、ソフトウェアにより実現した機能はハードウェア的に実現しても構わない。また、変換サーバ３２０を営業店システム２００側に設置したり、変換サーバ３２０を、ホストコンピュータ３１０や自動取引装置２１０の一部を構成するモジュールとして構成することもできる。その他、例えば、次のような変形も可能である。
【００４９】
Ｆ．変形例：
図８は、変形例としての自動取引システム５００の概略構成を示す説明図である。図示するように、自動取引システム５００は、上述した実施例と同様に営業店システム２００とセンタシステム３００とにより構成される。しかし、上記実施例とは異なり、変換サーバ３２０は、ホストコンピュータ３１０と自動取引装置２１０とをネットワーク的に仲介するように接続されるものとした。
【００５０】
図９は、本変形例における取引処理のフローチャートである。まず、自動取引装置２１０は、カード２０や通帳３０から識別番号を読み出す（ステップＳ３００）。ここでは、カード２０から識別番号を読み出すものとし、かかるカード２０には磁気ストライプは貼付されていないものとして説明する。その後、自動取引装置２１０は、識別番号を読み出すと、顧客から取引内容の選択を受け（ステップＳ３０１）、入出金金額等の取引データを入力する（ステップＳ３０２）。
【００５１】
次に、自動取引装置２１０は、入力した取引データとともにステップＳ３００で読み出した識別番号を変換サーバ３２０に送信する（ステップＳ３０３）。変換サーバ３２０は、これらを受信すると、識別番号データベースＤＢを参照することにより識別番号をＭＣデータに変換し（ステップＳ３０４）、変換したＭＣデータと取引データとをホストコンピュータ３１０に引き渡す。
【００５２】
ホストコンピュータ３１０は、これらのデータを受信する（ステップＳ３０５）と、かかるデータに基づき取引処理を行い（ステップＳ３０６）、口座ファイルを更新する（ステップＳ３０７）。そして、その取引結果を変換サーバ３２０に送信し（ステップＳ３０８）、変換サーバ３２０は、自動取引装置２１０に取引結果を転送する（ステップＳ３０９）。そして、変換サーバ３２０は必要であれば識別番号データベースＤＢのＭＣデータの更新を行う（ステップＳ３１０）。自動取引装置２１０は、変換サーバ３２０から取引結果を受信すると（ステップＳ３１１）、受信したこれらの情報に基づき、出金処理、伝票の発行等を行い（ステップＳ３１２）、取引を終了する。
【００５３】
以上で説明した変形例によれば、変換サーバ３２０が、識別番号と磁気ストライプデータの変換を行うことにより、自動取引装置２１０とホストコンピュータ３１０間の取引処理を成立させることができる。従って、ホストコンピュータは、従来の磁気ストライプデータに基づく取引処理と同様の方法により、取引処理を行うことができる。なお、上記取引処理では、識別番号をＭＣデータ全体に変換するものとしたが、ＭＣデータやＭＳデータに含まれる口座番号に変換するものとしてもよい。
【００５４】
【発明の効果】
本発明によれば、ＩＣチップに書き換え不能に記録された識別番号を変換サーバによって磁気ストライプデータに変換することができため、ホストコンピュータは、従来通りの取引処理を行うことができる。従って、ホストコンピュータの改変を要することなく、容易に、固有の識別情報が書き換え不能に記録された取引媒体を取り扱い可能な自動取引システムを構築することができる。また、本発明では、ホストコンピュータは、磁気ストライプデータを用いて取引処理を行うため、磁気ストライプを備える従来の取引媒体とＩＣチップを備える取引媒体との両者が混在する移行期間にも柔軟に対応可能な自動取引システムを提供することができる。
【図面の簡単な説明】
【図１】自動取引システム１００の概略構成を示す説明図。
【図２】自動取引装置２１０の概略構成を示す説明図。
【図３】変換サーバ３２０の概略構成を示す説明図。
【図４】識別番号データベースＤＢのデータ構造を示す説明図。
【図５】新規のカード２０を発行する発行処理のフローチャート。
【図６】自動取引処理のフローチャート。
【図７】自動取引処理のフローチャート。
【図８】変形例としての自動取引システム５００の概略構成を示す説明図。
【図９】自動取引システム５００における取引処理のフローチャート。
【符号の説明】
１０…通信回線
２０…カード
３０…通帳
１００…自動取引システム
２００…営業店システム
２１１…通帳取扱機構
２１２…カード読出機構
２１３…表示部
２１４…タッチパネル
２１５…入出金機構
２１６…通信処理部
２１７…制御ユニット
２１８…識別番号入力部
２１９…磁気ストライプデータ取得部
２２０…取引処理部
２１０…自動取引装置
２３０…通帳発行装置
３００…センタシステム
３１０…ホストコンピュータ
３２０…変換サーバ
３２１…記憶部
３２２…通信処理部
３２３…制御ユニット
３２４…識別番号受信部
３２５…検索部
３２６…磁気ストライプデータ送信部
３２７…登録部
３３０…カード発行装置
５００…自動取引システム
ＤＢ…識別番号データベース
【図１】
2005018190.tif 000003
【図２】
2005018190.tif 000004
【図３】
2005018190.tif 000005
【図４】
2005018190.tif 000006
【図５】
2005018190.tif 000007
【図６】
2005018190.tif 000008
【図７】
2005018190.tif 000009
【図８】
2005018190.tif 000010
【図９】
2005018190.tif 000011